(57)【要約】【課題】ＸＰＳフォーマットなどの電子データの印刷結果に、その電子データの印刷出力などに関連した情報を反映させることができる構造のデータ印刷システムを提供する。【解決手段】データ処理装置１００が送信する電子データをプリンタ装置２００が印刷するとき、電子データとともにメタデータが印刷出力される。従って、その電子データが誰により作成されたか、どのデータ処理装置１００で作成されたか、何時作成されたか、などの情報を、電子データの印刷結果に反映させることができる。【選択図】図１
2008109241.tif 000002
【特許請求の範囲】
【請求項１】
電子データをプリンタ装置に送信するデータ処理装置と、前記データ処理装置から受信する前記電子データを印刷出力するプリンタ装置と、を有するデータ印刷システムであって、
前記電子データとともにメタデータが印刷出力されるデータ印刷システム。
【請求項２】
前記データ処理装置は、前記メタデータが付与されている前記電子データを保持するデータ保持部と、前記電子データを印刷データとして前記プリンタ装置に送信するデータ送信部と、前記メタデータを前記電子データとともに前記印刷データとして送信させる送信制御部と、を有する請求項１に記載のデータ印刷システム。
【請求項３】
前記データ処理装置は、前記電子データを保持するデータ保持部と、前記メタデータを保持するメタ保持部と、前記電子データを印刷データとして前記プリンタ装置に送信するデータ送信部と、前記メタデータを前記電子データとともに前記印刷データとして送信させる送信制御部と、を有する請求項１に記載のデータ印刷システム。
【請求項４】
前記データ処理装置は、前記電子データを保持するデータ保持部と、前記電子データを印刷データとして前記プリンタ装置に送信するデータ送信部と、前記電子データの送信に対応して前記メタデータを生成するメタ生成部と、前記メタデータを前記電子データとともに前記印刷データとして送信させる送信制御部と、を有する請求項１に記載のデータ印刷システム。
【請求項５】
前記データ保持部は、前記メタデータに印刷形態が登録されている前記電子データを保持し、
前記送信制御部は、前記メタデータが前記印刷形態で印刷出力される前記印刷データを送信させる請求項２に記載のデータ印刷システム。
【請求項６】
前記メタ保持部は、印刷形態が登録されている前記メタデータを保持し、
前記送信制御部は、前記メタデータが前記印刷形態で印刷出力される前記印刷データを送信させる請求項３に記載のデータ印刷システム。
【請求項７】
前記メタデータの印刷形態を保持する形態保持部を、さらに有し、
前記送信制御部は、前記メタデータが前記印刷形態で印刷出力される前記印刷データを送信させる請求項３または４に記載のデータ印刷システム。
【請求項８】
前記プリンタ装置は、前記データ処理装置から前記電子データを前記メタデータとともに受信するデータ受信部と、受信された前記電子データを印刷出力するデータ印刷部と、受信された前記電子データから前記メタデータを検出するメタ検出部と、検出された前記メタデータを前記電子データとともに前記データ印刷部に印刷出力させる印刷制御部と、を有する請求項１に記載のデータ印刷システム。
【請求項９】
前記プリンタ装置は、前記メタデータを保持するメタ保持部と、前記データ処理装置から前記電子データを受信するデータ受信部と、受信された前記電子データを印刷出力するデータ印刷部と、前記メタデータを前記電子データとともに前記データ印刷部に印刷出力させる印刷制御部と、を有する請求項１に記載のデータ印刷システム。
【請求項１０】
前記プリンタ装置は、前記データ処理装置から前記電子データを受信するデータ受信部と、受信された前記電子データを印刷出力するデータ印刷部と、前記電子データの受信に対応して前記メタデータを生成するメタ生成部と、前記メタデータを前記電子データとともに前記データ印刷部に印刷出力させる印刷制御部と、を有する請求項１に記載のデータ印刷システム。
【請求項１１】
前記データ受信部は、前記メタデータに印刷形態が登録されている前記電子データを受信し、
前記印刷制御部は、前記メタデータを前記印刷形態で印刷出力させる請求項８に記載のデータ印刷システム。
【請求項１２】
前記メタ保持部は、印刷形態が登録されている前記メタデータを保持し、
前記印刷制御部は、前記メタデータを前記印刷形態で印刷出力させる請求項９に記載のデータ印刷システム。
【請求項１３】
前記メタデータの印刷形態を保持する形態保持部を、さらに有し、
前記印刷制御部は、前記メタデータを前記印刷形態で印刷出力させる請求項９または１０に記載のデータ印刷システム。
【請求項１４】
請求項１に記載のデータ印刷システムのためのコンピュータプログラムであって、
前記電子データとともに前記メタデータを印刷出力させることを前記データ処理装置と前記プリンタ装置との少なくとも一方に実行させるコンピュータプログラム。
【請求項１５】
請求項５または１１に記載のデータ印刷システムの電子データであって、
付与されている前記メタデータに前記印刷形態が登録されているデータ構造の電子データ。
【発明の詳細な説明】
【技術分野】
【０００１】
本発明は、電子データをプリンタ装置に送信するデータ処理装置と、前記データ処理装置から受信する前記電子データを印刷出力するプリンタ装置と、を有するデータ印刷システムに関する。
【背景技術】
【０００２】
現在、いわゆるパーソナルコンピュータなどのデータ処理装置で文書データや画像データなどの電子データを印刷する場合、データ処理装置が実装されているプリンタドライバにより電子データを印刷データに変換してプリンタ装置に出力している。
【０００３】
なお、プリンタ装置がページプリンタからなる場合、データ処理装置のプリンタドライバはＰＤＬ(Page Description Language)と呼称されるページ記述言語で印刷データを生成する。
【０００４】
このようなページ記述言語としては、ＸＰＳ(XML(eXtensible Markup Language) Paper Specification)、ＰＣＬ(Printer Contorol Language  登録商標)、ＬＩＰＳ(Laser Beam Printer Image Processing System  登録商標)、ＰｏｓｔＳｃｒｉｐｔ(登録商標)、等がある。
【０００５】
なお、上述のような印刷データを印刷出力するプリンタ装置としては各種の提案がある(例えば、特許文献１ないし３参照)。
【特許文献１】特開平１１−１９４９１１号公報
【特許文献２】特開２００４−２０６５９７号公報
【特許文献３】特開２００２−２１５３５５号公報
【発明の開示】
【発明が解決しようとする課題】
【０００６】
従来のプリンタ装置はデータ処理装置から受信した印刷データを印刷出力する。しかし、その印刷結果には、その電子データが誰により作成されたか、何時作成されたか、どのデータ処理装置から送信されたか、何時送信されたか、どのプリンタ装置で印刷出力されたか、何時印刷されたか、などの電子データの印刷出力などに関連した情報を反映させることができない。
【０００７】
本発明は上述のような課題に鑑みてなされたものであり、ＸＰＳフォーマットなどの電子データの印刷結果に、その電子データの印刷出力などに関連した情報を反映させることができる構造のデータ印刷システムを提供するものである。
【課題を解決するための手段】
【０００８】
本発明のデータ印刷システムは、電子データをプリンタ装置に送信するデータ処理装置と、データ処理装置から受信する電子データを印刷出力するプリンタ装置と、を有するデータ印刷システムであって、電子データとともにメタデータが印刷出力される。
【０００９】
従って、本発明のデータ印刷システムでは、例えば、その電子データが誰により作成されたか、どのデータ処理装置で作成されたか、何時作成されたか、どのデータ処理装置から送信されたか、何時送信されたか、どのプリンタ装置で受信されたか、何時受信されたか、どのプリンタ装置で印刷出力されたか、何時印刷されたか、などが登録されているメタデータが、電子データとともに印刷出力される。
【００１０】
さらに、本発明のデータ印刷システムのデータ処理装置が、メタデータが付与されている電子データを保持するデータ保持部と、電子データを印刷データとしてプリンタ装置に送信するデータ送信部と、メタデータを電子データとともに印刷データとして送信させる送信制御部と、を有してもよい。
【００１１】
この場合、例えば、その電子データが誰により作成されたか、どのデータ処理装置で作成されたか、何時作成されたか、などが登録されているメタデータが、電子データとともに印刷データとしてプリンタ装置に送信される。
【００１２】
また、本発明のデータ印刷システムのデータ処理装置が、電子データを保持するデータ保持部と、メタデータを保持するメタ保持部と、電子データを印刷データとしてプリンタ装置に送信するデータ送信部と、メタデータを電子データとともに印刷データとして送信させる送信制御部と、を有してもよい。
【００１３】
この場合、例えば、その電子データが、どのデータ処理装置から送信されたか、などが登録されているメタデータが、電子データとともに印刷データとしてプリンタ装置に送信される。
【００１４】
また、本発明のデータ印刷システムのデータ処理装置が、電子データを保持するデータ保持部と、電子データを印刷データとしてプリンタ装置に送信するデータ送信部と、電子データの送信に対応してメタデータを生成するメタ生成部と、メタデータを電子データとともに印刷データとして送信させる送信制御部と、を有してもよい。
【００１５】
この場合、例えば、その電子データが何時送信されたか、どのデータ処理装置から送信されたか、などが登録されているメタデータが、電子データとともに印刷データとしてプリンタ装置に送信される。
【００１６】
また、本発明のデータ印刷システムのプリンタ装置が、データ処理装置から電子データをメタデータとともに受信するデータ受信部と、受信された電子データを印刷出力するデータ印刷部と、受信された電子データからメタデータを検出するメタ検出部と、検出されたメタデータを電子データとともにデータ印刷部に印刷出力させる印刷制御部と、を有してもよい。
【００１７】
この場合、例えば、その電子データが誰により作成されたか、何時作成されたか、どのデータ処理装置から送信されたか、何時送信されたか、などが登録されているメタデータが、電子データとともに印刷出力される。
【００１８】
また、本発明のデータ印刷システムのプリンタ装置が、メタデータを保持するメタ保持部と、データ処理装置から電子データを受信するデータ受信部と、受信された電子データを印刷出力するデータ印刷部と、メタデータを電子データとともにデータ印刷部に印刷出力させる印刷制御部と、を有してもよい。
【００１９】
この場合、例えば、その電子データが、どのプリンタ装置で印刷出力されたか、などが登録されているメタデータが、電子データとともに印刷出力される。
【００２０】
また、本発明のデータ印刷システムのプリンタ装置が、データ処理装置から電子データを受信するデータ受信部と、受信された電子データを印刷出力するデータ印刷部と、電子データの受信に対応してメタデータを生成するメタ生成部と、メタデータを電子データとともにデータ印刷部に印刷出力させる印刷制御部と、を有してもよい。
【００２１】
この場合、例えば、その電子データが、何時受信されたか、何時印刷されたか、どのプリンタ装置で印刷出力されたか、などが登録されているメタデータが、電子データとともに印刷出力される。
【００２２】
本発明のコンピュータプログラムは、本発明のデータ印刷システムのためのコンピュータプログラムであって、電子データとともにメタデータを印刷出力させることをデータ処理装置とプリンタ装置との少なくとも一方に実行させる。
【００２３】
従って、本発明のコンピュータプログラムがデータ処理装置とプリンタ装置との少なくとも一方に実装されているデータ印刷システムでは、例えば、その電子データが誰により作成されたか、どのデータ処理装置で作成されたか、何時作成されたか、どのデータ処理装置から送信されたか、何時送信されたか、どのプリンタ装置で受信されたか、何時受信されたか、どのプリンタ装置で印刷出力されたか、何時印刷されたか、などが登録されているメタデータが、電子データとともに印刷出力される。
【００２４】
本発明の電子データは、本発明のデータ印刷システムの電子データであって、付与されているメタデータに印刷形態が登録されている。従って、そのメタデータが電子データとともに印刷出力されるとき、そのメタデータの印刷形態が自動的に設定される。
【００２５】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００２６】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２７】
さらに、本発明で云う「データを保持する」とは、本発明の装置がエンドユーザにより新規に登録されるデータを保持することの他、サプライヤにより製造時に登録されたデータを保持して出荷後にはエンドユーザにより新規のデータが登録されないことも許容する。
【発明の効果】
【００２８】
本発明のデータ印刷システムでは、電子データとともにメタデータが印刷出力されることにより、例えば、その電子データが誰により作成されたか、何時作成されたか、どのデータ処理装置から送信されたか、何時送信されたか、どのプリンタ装置で印刷出力されたか、何時印刷されたか、などの電子データの作成や送信や受信や印刷などに起因した情報を印刷結果により確認することができる。
【発明を実施するための最良の形態】
【００２９】
本発明の実施の一形態を図面を参照して以下に説明する。本実施の形態のデータ印刷システム１０００は、電子データをプリンタ装置２００に送信するデータ処理装置１００と、データ処理装置１００から受信する電子データを印刷出力するプリンタ装置２００と、を有する。そして、本実施の形態のデータ印刷システム１０００では、プリンタ装置２００により電子データとともにメタデータが印刷出力される。
【００３０】
より詳細には、データ処理装置１００は、ＣＰＵ(Central Processing Unit)やＲＯＭ(Read Only Memory)やＲＡＭ(Random Access Memory)等からなるコンピュータユニット、ＨＤＤ(Hard Disc Drive)の記憶デバイス、ＬＣＤ(Liquid Crystal Display)等の表示デバイス、キーボード等の入力デバイス、ＬＡＮ(Local Area Network)等でプリンタ装置２００などとデータ通信する通信デバイス、等をハードウェアとして有する(図示せず)。
【００３１】
プリンタ装置２００は、通信デバイス、コンピュータユニット、電子写真機構、等をハードウェアとして有する(図示せず)。データ処理装置１００およびプリンタ装置２００は、コンピュータユニットが実装されているコンピュータプログラムに対応して各部を統合制御することにより、図１に示すように、各部が各種機能として論理的に実現されている。
【００３２】
このため、データ処理装置１００は、データ保持部１１０とデータ送信部１２０と送信制御部１３０とを有する。プリンタ装置２００は、データ受信部２１０とデータ印刷部２２０とメタ検出部２３０と印刷制御部２４０とを有する。
【００３３】
データ処理装置１００のデータ保持部１１０は、コンピュータプログラムに対応してコンピュータユニットが認識するように記憶デバイスに構築された記憶エリアなどに相当し、メタデータが付与されている電子データを保持する。
【００３４】
このような電子データは、例えば、ＸＰＳフォーマットで記述された文書データなどからなる。また、そのメタデータには、ヘッダ、フッタ、バナーページ、印刷しない、等の印刷形態の一つを登録することもできる。
【００３５】
データ送信部１２０は、コンピュータユニットがコンピュータプログラムに対応して通信デバイスを動作制御する機能などに相当し、電子データを印刷データとしてプリンタ装置２００に送信する。
【００３６】
送信制御部１３０は、コンピュータユニットがコンピュータプログラムに対応してプリンタドライバとして動作する機能などに相当し、メタデータを電子データとともに印刷データとして送信させる。
【００３７】
なお、詳細には後述するが、ＸＰＳフォーマットの電子データは、そのまま印刷データとして機能するため、特に変換などされることなくメタデータとともに送信される。しかし、ＸＰＳフォーマットでない電子データは、印刷データに変換されてから送信される。
【００３８】
プリンタ装置２００のデータ受信部２１０は、コンピュータユニットがコンピュータプログラムに対応して通信デバイスの受信データを認識する機能などに相当し、データ処理装置１００から電子データをメタデータとともに受信する。
【００３９】
データ印刷部２２０は、コンピュータプログラムに対応してコンピュータユニットがプリンタコントローラとして電子写真機構を動作制御する機能などに相当し、受信された電子データを印刷出力する。
【００４０】
メタ検出部２３０は、コンピュータプログラムに対応してコンピュータユニットが所定のデータ処理を実行する機能などに相当し、受信された電子データからメタデータを検出する。
【００４１】
印刷制御部２４０も、コンピュータプログラムに対応してコンピュータユニットがプリンタコントローラとして電子写真機構を動作制御する機能などに相当し、検出されたメタデータを電子データとともにデータ印刷部２２０に印刷出力させる。
【００４２】
なお、詳細には後述するが、メタデータが付与されていないＸＰＳフォーマットの電子データと、ＸＰＳフォーマットでない印刷データは、そのまま印刷出力される。ＸＰＳフォーマットの電子データのメタデータにヘッダやフッタなどの印刷形態が登録されている場合、その印刷形態でメタデータが電子データとともに印刷出力される。
【００４３】
印刷形態が登録されていないメタデータがＸＰＳフォーマットの電子データに付与されている場合、ヘッダなどのデフォルト設定の印刷形態でメタデータが電子データとともに印刷出力される。
【００４４】
上述のようなデータ処理装置１００のコンピュータプログラムは、例えば、メタデータが付与されている電子データを保持すること、電子データを印刷データとしてプリンタ装置２００に送信すること、メタデータを電子データとともに印刷データとして送信させること、等をデータ処理装置１００に実行させるように記述されている。
【００４５】
また、プリンタ装置２００のコンピュータプログラムは、例えば、データ処理装置１００から電子データをメタデータとともに受信すること、受信された電子データを印刷出力すること、受信された電子データからメタデータを検出すること、検出されたメタデータを電子データとともにデータ印刷部２２０に印刷出力させること、をプリンタ装置２００に実行させるように記述されている。
【００４６】
上述のような構成において、本実施の形態のデータ印刷システム１０００で電子データを印刷出力する手法を以下に説明する。まず、データ処理装置１００は、各種フォーマットの電子データが登録されており、例えば、ＸＰＳフォーマットの電子データも登録されている。
【００４７】
このＸＰＳフォーマットの電子データは、そのままページプリンタの印刷データとして機能する。このため、データ処理装置１００では、ＸＰＳフォーマットの電子データは、そのまま印刷データとしてプリンタ装置２００に出力する。
【００４８】
また、ＸＰＳフォーマットでは、メタデータを付与する機能がデフォルトで用意されている。メタデータには、例えば、その電子データが誰により作成されたか、何時作成されたか、などの各種データを利用者が所望により登録することができる。
【００４９】
さらに、本実施の形態のデータ処理装置１００では、上述のメタデータに、ヘッダ、フッタ、バナーページ、印刷しない、等の印刷形態の一つを利用者が所望により登録することもできる。
【００５０】
そして、本実施の形態のデータ処理装置１００では、図２に示すように、電子データの印刷出力が入力操作されると(ステップＳ１)、その電子データがＸＰＳフォーマットか確認される(ステップＳ２)。これでＸＰＳフォーマットでない電子データは、ページ記述言語の印刷データに変換され(ステップＳ３)、プリンタ装置２００に送信される(ステップＳ４)。
【００５１】
一方、ＸＰＳフォーマットの場合は(ステップＳ２)、メタデータが付与されているかが確認される(ステップＳ５)。これでメタデータが付与されていないと、その電子データが、そのまま印刷データとしてプリンタ装置２００に送信される(ステップＳ６)。
【００５２】
そして、ＸＰＳフォーマットの電子データにメタデータが付与されていた場合は(ステップＳ５)、そのメタデータとともに電子データが印刷データとしてプリンタ装置２００に送信される(ステップＳ７)。
【００５３】
図３に示すように、上述のようにデータ処理装置１００から印刷データを受信したプリンタ装置２００では(ステップＴ１)、その印刷データがＸＰＳフォーマットか確認される(ステップＴ２)。これでＸＰＳフォーマットでない印刷データは、そのまま印刷出力される(ステップＴ７)。
【００５４】
一方、印刷データがＸＰＳフォーマットの場合は(ステップＴ２)、メタデータが付与されているかが確認される(ステップＴ３)。これでメタデータが付与されていないと、その印刷データが、そのまま印刷出力される(ステップＴ７)。
【００５５】
そして、ＸＰＳフォーマットの印刷データにメタデータが付与されていた場合は(ステップＴ３)、そのメタデータに印刷形態が登録されているかが確認される(ステップＴ４)。
【００５６】
これで印刷形態が登録されていないと、プリンタ装置２００にデフォルト設定されているヘッダにメタデータが変換される(ステップＴ５)。そして、この変換されたメタデータがヘッダとして印刷データに合成されてから(ステップＴ６)、印刷出力される(ステップＴ７)。
【００５７】
また、ＸＰＳフォーマットの印刷データのメタデータに、フッタなどの印刷形態が登録されていた場合は(ステップＴ４)、その印刷形態が「印刷しない」として登録されているかが確認される(ステップＴ８)。そこで、印刷形態として「印刷しない」が登録されていた場合は、印刷データはメタデータが付与されることなく印刷出力される(ステップＴ７)。
【００５８】
一方、メタデータに「印刷しない」以外の印刷形態が登録されていた場合は(ステップＴ８)、その印刷形態にメタデータが変換される(ステップＴ９)。そして、この印刷形態に変換されたメタデータが印刷データに合成されてから(ステップＴ６)、印刷出力される(ステップＴ７)。
【００５９】
本実施の形態のデータ印刷システム１０００は、上述のように電子データとともにメタデータが印刷出力される。このため、電子データの作成などに起因した情報を、その印刷結果により確認することができる。
【００６０】
より詳細には、データ処理装置１００は、メタデータが付与されている電子データを保持し、その電子データを印刷データとしてメタデータとともにプリンタ装置２００に送信する。
【００６１】
従って、その電子データが誰により作成されたか、どのデータ処理装置１００で作成されたか、何時作成されたか、などが登録されているメタデータを、電子データとともに印刷出力することができる。
【００６２】
しかも、データ処理装置１００では、利用者は所望によりＸＰＳフォーマットの電子データにメタデータを付与することができ、そのメタデータに印刷形態を登録することができる。
【００６３】
この場合、プリンタ装置２００は、受信したＸＰＳフォーマットの電子データのメタデータに印刷形態が登録されていると、その印刷形態にメタデータを変換して電子データとともに印刷出力する。
【００６４】
このため、利用者はメタデータを、ヘッダ、フッタ、バナーページ、等の所望の印刷形態で印刷結果に反映させることができる。ヘッダとした場合、電子データの印刷結果の上部にメタデータを挿入することができる。
【００６５】
フッタとした場合、電子データの印刷結果の下部にメタデータを挿入することができる。バナーページとした場合、電子データの印刷結果の表紙としてメタデータを印刷出力することができる。
【００６６】
さらに、メタデータに印刷形態が登録されていないと、プリンタ装置２００はデフォルト設定されている印刷形態でメタデータを電子データとともに印刷出力する。このため、利用者が印刷形態を設定せずとも、メタデータを印刷結果に反映させることができる。
【００６７】
しかも、利用者は所望によりメタデータに印刷形態として「印刷しない」を登録することもできる。この場合、ＸＰＳフォーマットの電子データにメタデータが付与されていても、そのメタデータは印刷出力されることなく電子データのみ印刷出力される。
【００６８】
このため、利用者はＸＰＳフォーマットの電子データにメタデータが付与されている場合でも、所望によりメタデータが印刷出力されないように電子データを印刷出力させることもできる。
【００６９】
なお、前述した特許文献１には、文書データの印刷データを管理するサーバが印刷属性のヘッダを作成し、そのヘッダを参照しながら複数の印刷要求をプリンタに送信することが開示されている。
【００７０】
また、特許文献２には、プリンタ装置が印刷データから付加コメントを抽出して同一用紙に印刷することが開示されている。特許文献３には、プリンタドライバが文書データから変換する印刷データにヘッダやフッタを挿入することが開示されている。
【００７１】
しかし、上述した特許文献１〜３の何れも、ＸＰＳフォーマットの電子データにメタデータが付与されることを利用して、そのメタデータを電子データとともに印刷出力するとの思想はない。
【００７２】
なお、本発明は本実施の形態に限定されるものではなく、その要旨を逸脱しない範囲で各種の変形を許容する。例えば、上記形態では事前にメタデータが付与されている電子データがデータ処理装置１００からプリンタ装置２００に送信されると、その電子データとともにメタデータが印刷出力されることを例示した。
【００７３】
しかし、データ処理装置がメタ保持部(図示せず)により電子データとは別個にメタデータを保持しており、そのメタデータが電子データとともにプリンタ装置２００に送信されてもよい。
【００７４】
この場合、メタデータが付与されていない電子データに、データ処理装置がメタデータを付与することができる。そして、その電子データが、どのデータ処理装置から送信されたか、などを電子データの印刷結果に反映させることができる。
【００７５】
従って、電子データを送信したデータ処理装置などに起因した情報を、印刷結果により確認することができる。さらに、このようなデータ処理装置が保持しているメタデータに印刷形態が登録されていてもよい。
【００７６】
なお、上述のようなデータ処理装置は、例えば、送信する電子データがＸＰＳフォーマットか確認し、ＸＰＳフォーマットの場合はメタデータが付与されているか確認し、付与されていないとメタデータを付与する、等のデータ処理を実行すればよい。
【００７７】
このようなデータ処理を実行する機能は、例えば、データ処理装置にプリンタドライバとしてハードウェアやソフトウェアで実装することができる。この場合、メタデータの編集や印刷形態の登録なども、例えば、データ処理装置によりプリンタドライバの設定画面で実行することができる。
【００７８】
また、データ処理装置がメタ生成部(図示せず)により電子データの送信に対応してメタデータを生成し、そのメタデータが電子データとともにプリンタ装置２００に送信されてもよい。
【００７９】
この場合、メタデータが付与されていない電子データに、データ処理装置がメタデータを付与することができる。そして、その電子データが、どのデータ処理装置から送信されたか、何時送信されたか、などを電子データの印刷結果に反映させることができる。
【００８０】
従って、電子データを送信したデータ処理装置や送信日時などに起因した情報を、印刷結果により確認することができる。さらに、このようなデータ処理装置が、印刷形態を保持しており、この印刷形態を生成するメタデータに登録してもよい。
【００８１】
また、メタデータが付与されていない電子データを受信するプリンタ装置がメタ保持部(図示せず)によりメタデータを保持しており、そのメタデータが電子データとともに印刷出力されてもよい。
【００８２】
この場合、メタデータが付与されていない電子データに、プリンタ装置がメタデータを付与することができる。そして、その電子データが、どのプリンタ装置で印刷出力されたか、などを電子データの印刷結果に反映させることができる。
【００８３】
従って、電子データを印刷出力するプリンタ装置などに起因した情報を、印刷結果により確認することができる。さらに、このようなプリンタ装置が保持しているメタデータに印刷形態が登録されていてもよい。
【００８４】
なお、上述のようなプリンタ装置は、例えば、受信した電子データがＸＰＳフォーマットか確認し、ＸＰＳフォーマットの場合はメタデータが付与されているか確認し、付与されていないとメタデータを付与する、等のデータ処理を実行すればよい。
【００８５】
このようなデータ処理を実行する機能は、例えば、プリンタ装置にプリンタコントローラとしてハードウェアやソフトウェアで実装することができる。この場合、メタデータの編集や印刷形態の登録なども、例えば、プリンタ装置によりプリンタコントローラの設定画面で実行することができる。
【００８６】
また、メタデータが付与されていない電子データを受信するプリンタ装置がメタ生成部により電子データの受信に対応してメタデータを生成し、そのメタデータが電子データとともに印刷出力されてもよい。
【００８７】
この場合、メタデータが付与されていない電子データに、プリンタ装置がメタデータを付与することができる。そして、その電子データが、何時受信されたか、どのプリンタ装置で印刷出力されたか、何時印刷されたか、などを電子データの印刷結果に反映させることができる。
【００８８】
従って、電子データを印刷出力するプリンタ装置などに起因した情報を、印刷結果により確認することができる。さらに、このようなプリンタ装置が、印刷形態を保持しており、この印刷形態でメタデータを印刷出力してもよい。
【００８９】
なお、上述した実施の形態および各種の変形例は、その内容が相反しない範囲で様々に組み合わせることができる。例えば、上記形態ではメタデータが付与されていないＸＰＳフォーマットの印刷データでも、そのままデータ処理装置１００が送信することを例示した。
【００９０】
しかし、メタデータが付与されているＸＰＳフォーマットの印刷データは、そのままデータ処理装置により送信され、メタデータが付与されていないＸＰＳフォーマットの印刷データは、データ処理装置によりメタデータが付与されてから送信される、等の処理も可能である。
【００９１】
また、上記形態ではデータ処理装置１００によりメタデータが付与されていないＸＰＳフォーマットの印刷データが送信されると、その印刷データがプリンタ装置２００で、そのまま印刷出力されることを例示した。
【００９２】
しかし、データ処理装置１００によりメタデータが付与されているＸＰＳフォーマットの印刷データが送信されると、その印刷データは付与されているメタデータとともにプリンタ装置で印刷出力され、メタデータが付与されていないＸＰＳフォーマットの印刷データが送信されると、その印刷データはプリンタ装置によりメタデータが付与されてから印刷出力される、等の処理も可能である。
【図面の簡単な説明】
【００９３】
【図１】本発明の実施の形態のデータ印刷システムの論理構造を示す模式的なブロック図である。
【図２】データ処理装置の処理動作を示すフローチャートである。
【図３】プリンタ装置の処理動作を示すフローチャートである。
【符号の説明】
【００９４】
１００    データ処理装置
１１０    データ保持部
１２０    データ送信部
１３０    送信制御部
２００    プリンタ装置
２１０    データ受信部
２２０    データ印刷部
２３０    メタ検出部
２４０    印刷制御部
１０００    データ印刷システム
【図１】
2008109241.tif 000003
【図２】
2008109241.tif 000004
【図３】
2008109241.tif 000005
【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
電子データをプリンタ装置に送信するデータ処理装置であって、
メタデータが付与されている前記電子データを保持するデータ保持部と、
前記電子データを印刷データとして前記プリンタ装置に送信するデータ送信部と、
前記メタデータを前記電子データとともに前記印刷データとして送信させる送信制御部と、
を有するデータ処理装置。
【請求項２】
電子データをプリンタ装置に送信するデータ処理装置であって、
前記電子データを保持するデータ保持部と、
メタデータを保持するメタ保持部と、
前記電子データを印刷データとして前記プリンタ装置に送信するデータ送信部と、
前記メタデータを前記電子データとともに前記印刷データとして送信させる送信制御部と、
を有するデータ処理装置。
【請求項３】
電子データをプリンタ装置に送信するデータ処理装置であって、
前記電子データを保持するデータ保持部と、
前記電子データを印刷データとして前記プリンタ装置に送信するデータ送信部と、
前記電子データの送信に対応してメタデータを生成するメタ生成部と、
前記メタデータを前記電子データとともに前記印刷データとして送信させる送信制御部と、
を有するデータ処理装置。
【請求項４】
前記データ保持部は、前記メタデータに印刷形態が登録されている前記電子データを保持し、
前記送信制御部は、前記メタデータが前記印刷形態で印刷出力される前記印刷データを送信させる請求項１に記載のデータ処理装置。
【請求項５】
前記メタ保持部は、印刷形態が登録されている前記メタデータを保持し、
前記送信制御部は、前記メタデータが前記印刷形態で印刷出力される前記印刷データを送信させる請求項２に記載のデータ処理装置。
【請求項６】
前記メタデータの印刷形態を保持する形態保持部を、さらに有し、
前記送信制御部は、前記メタデータが前記印刷形態で印刷出力される前記印刷データを送信させる請求項２または３に記載のデータ処理装置。
【請求項７】
データ処理装置から受信する電子データを印刷出力するプリンタ装置であって、
前記データ処理装置から前記電子データをメタデータとともに受信するデータ受信部と、
受信された前記電子データを印刷出力するデータ印刷部と、
受信された前記電子データから前記メタデータを検出するメタ検出部と、
検出された前記メタデータを前記電子データとともに前記データ印刷部に印刷出力させる印刷制御部と、を有するプリンタ装置。
【請求項８】
データ処理装置から受信する電子データを印刷出力するプリンタ装置であって、
メタデータを保持するメタ保持部と、
前記データ処理装置から前記電子データを受信するデータ受信部と、
受信された前記電子データを印刷出力するデータ印刷部と、
前記メタデータを前記電子データとともに前記データ印刷部に印刷出力させる印刷制御部と、
を有するプリンタ装置。
【請求項９】
データ処理装置から受信する電子データを印刷出力するプリンタ装置であって、
前記データ処理装置から前記電子データを受信するデータ受信部と、
受信された前記電子データを印刷出力するデータ印刷部と、
前記電子データの受信に対応してメタデータを生成するメタ生成部と、
前記メタデータを前記電子データとともに前記データ印刷部に印刷出力させる印刷制御部と、
を有するプリンタ装置。
【請求項１０】
前記データ受信部は、前記メタデータに印刷形態が登録されている前記電子データを受信し、
前記印刷制御部は、前記メタデータを前記印刷形態で印刷出力させる請求項７に記載のプリンタ装置。
【請求項１１】
前記メタ保持部は、印刷形態が登録されている前記メタデータを保持し、
前記印刷制御部は、前記メタデータを前記印刷形態で印刷出力させる請求項８に記載のプリンタ装置。
【請求項１２】
前記メタデータの印刷形態を保持する形態保持部を、さらに有し、
前記印刷制御部は、前記メタデータを前記印刷形態で印刷出力させる請求項８または９に記載のプリンタ装置。
【請求項１３】
電子データをプリンタ装置に送信するデータ処理装置と、前記データ処理装置から受信する前記電子データを印刷出力するプリンタ装置と、を有するデータ印刷システムであって、
前記電子データとともにメタデータが印刷出力されるデータ印刷システム。
【請求項１４】
電子データをプリンタ装置に送信するデータ処理装置と、前記データ処理装置から受信する前記電子データを印刷出力するプリンタ装置と、を有するデータ印刷システムのためのコンピュータプログラムであって、
前記電子データとともにメタデータを印刷出力させることを前記データ処理装置と前記プリンタ装置との少なくとも一方に実行させるコンピュータプログラム。
【請求項１５】
電子データをプリンタ装置に送信するデータ処理装置と、前記データ処理装置から受信する前記電子データを印刷出力するプリンタ装置と、を有するデータ印刷システムの電子データであって、
付与されているメタデータに印刷形態が登録されているデータ構造の電子データ。
【手続補正３】
【補正対象書類名】明細書
【補正対象項目名】０００１
【補正方法】変更
【補正の内容】
【０００１】
本発明は、電子データをプリンタ装置に送信するデータ処理装置、データ処理装置から受信する電子データを印刷出力するプリンタ装置、データ処理装置とプリンタ装置とを有するデータ印刷システム、コンピュータプログラム、電子データ、に関する。
【手続補正４】
【補正対象書類名】明細書
【補正対象項目名】０００７
【補正方法】変更
【補正の内容】
【０００７】
本発明は上述のような課題に鑑みてなされたものであり、ＸＰＳフォーマットなどの電子データの印刷結果に、その電子データの印刷出力などに関連した情報を反映させることができる構造のデータ処理装置、プリンタ装置、データ印刷システム、コンピュータプログラム、電子データ、を提供するものである。
【手続補正５】
【補正対象書類名】明細書
【補正対象項目名】００１０
【補正方法】変更
【補正の内容】
【００１０】
本発明の第一のデータ処理装置は、電子データをプリンタ装置に送信するデータ処理装置であって、メタデータが付与されている電子データを保持するデータ保持部と、電子データを印刷データとしてプリンタ装置に送信するデータ送信部と、メタデータを電子データとともに印刷データとして送信させる送信制御部と、を有する。
【手続補正６】
【補正対象書類名】明細書
【補正対象項目名】００１２
【補正方法】変更
【補正の内容】
【００１２】
本発明の第二のデータ処理装置は、電子データを保持するデータ保持部と、メタデータを保持するメタ保持部と、電子データを印刷データとしてプリンタ装置に送信するデータ送信部と、メタデータを電子データとともに印刷データとして送信させる送信制御部と、を有する。
【手続補正７】
【補正対象書類名】明細書
【補正対象項目名】００１４
【補正方法】変更
【補正の内容】
【００１４】
本発明の第三のデータ処理装置は、電子データを保持するデータ保持部と、電子データを印刷データとしてプリンタ装置に送信するデータ送信部と、電子データの送信に対応してメタデータを生成するメタ生成部と、メタデータを電子データとともに印刷データとして送信させる送信制御部と、を有する。
【手続補正８】
【補正対象書類名】明細書
【補正対象項目名】００１６
【補正方法】変更
【補正の内容】
【００１６】
本発明の第一のプリンタ装置は、データ処理装置から受信する電子データを印刷出力するプリンタ装置であって、データ処理装置から電子データをメタデータとともに受信するデータ受信部と、受信された電子データを印刷出力するデータ印刷部と、受信された電子データからメタデータを検出するメタ検出部と、検出されたメタデータを電子データとともにデータ印刷部に印刷出力させる印刷制御部と、を有する。
【手続補正９】
【補正対象書類名】明細書
【補正対象項目名】００１８
【補正方法】変更
【補正の内容】
【００１８】
本発明の第二のプリンタ装置は、メタデータを保持するメタ保持部と、データ処理装置から電子データを受信するデータ受信部と、受信された電子データを印刷出力するデータ印刷部と、メタデータを電子データとともにデータ印刷部に印刷出力させる印刷制御部と、を有する。
【手続補正１０】
【補正対象書類名】明細書
【補正対象項目名】００２０
【補正方法】変更
【補正の内容】
【００２０】
本発明の第三のプリンタ装置は、データ処理装置から電子データを受信するデータ受信部と、受信された電子データを印刷出力するデータ印刷部と、電子データの受信に対応してメタデータを生成するメタ生成部と、メタデータを電子データとともにデータ印刷部に印刷出力させる印刷制御部と、を有する。
【手続補正１１】
【補正対象書類名】明細書
【補正対象項目名】００２２
【補正方法】変更
【補正の内容】
【００２２】
本発明のコンピュータプログラムは、電子データをプリンタ装置に送信するデータ処理装置と、データ処理装置から受信する電子データを印刷出力するプリンタ装置と、を有するデータ印刷システムのためのコンピュータプログラムであって、電子データとともにメタデータを印刷出力させることをデータ処理装置とプリンタ装置との少なくとも一方に実行させる。
【手続補正１２】
【補正対象書類名】明細書
【補正対象項目名】００２４
【補正方法】変更
【補正の内容】
【００２４】
本発明の電子データは、電子データをプリンタ装置に送信するデータ処理装置と、データ処理装置から受信する電子データを印刷出力するプリンタ装置と、を有するデータ印刷システムの電子データであって、付与されているメタデータに印刷形態が登録されている。従って、そのメタデータが電子データとともに印刷出力されるとき、そのメタデータの印刷形態が自動的に設定される。
【手続補正１３】
【補正対象書類名】明細書
【補正対象項目名】００２８
【補正方法】変更
【補正の内容】
【００２８】
本発明では、電子データとともにメタデータが印刷出力されることにより、例えば、その電子データが誰により作成されたか、何時作成されたか、どのデータ処理装置から送信されたか、何時送信されたか、どのプリンタ装置で印刷出力されたか、何時印刷されたか、などの電子データの作成や送信や受信や印刷などに起因した情報を印刷結果により確認することができる。